(57)【特許請求の範囲】
【請求項１】
平面形状正方形の複数枚の床板を、支持脚によって床スラブから離隔して床スラブ上に縦横に敷き詰め、
前記床板と実質的に同一の大きさの平面形状を有する複数枚のカーペットを、縦方向にも横方向にも前記床板の配列ピッチとはずらして前記床板上に敷き詰めたフリーアクセスフロアにおいて、
該フリーアクセスフロアのいずれかの領域について、１枚又は少数枚の前記床板として上面に孔を有するグリル床板を用い、
前記グリル床板の上だけは前記カーペットを敷かないで、前記グリル床板の上面を開放すると共に、
前記グリル床板の周囲の他の床板上の前記カーペットの少なくとも一部を略Ｌ字型に形成したことを特徴とするフリーアクセスフロア。
【請求項２】
平面形状正方形の複数枚の床板を、支持脚によって床スラブから離隔して床スラブ上に縦横に敷き詰め、
前記床板と実質的に同一の大きさの平面形状を有する複数枚のカーペットを、縦方向にも横方向にも前記床板の配列ピッチとはずらして前記床板上に敷き詰めたフリーアクセスフロアにおいて、
該フリーアクセスフロアのいずれかの領域について、１枚又は少数枚の前記カーペットを敷かないで前記床板の上面を開放し、
前記上面を開放された床板として、上面に孔を有し前記カーペットを敷かない領域と略同じ大きさのグリル床板を、前記カーペットを敷かない領域に対して互いの輪郭を縦方向にも横方向にも著しくずらすことなく配置すると共に、
前記グリル床板の周囲の他の前記床板の少なくとも一部を略Ｌ字型に形成したことを特徴とするフリーアクセスフロア。
【請求項３】
前記１枚又は少数枚のグリル床板の上面に、孔を有する１枚又は少数枚のパンチングカーペットを敷いた、請求項１又は２記載のフリーアクセスフロア。
【発明の詳細な説明】
【０００１】
【発明の属する技術分野】
この発明はフリーアクセスフロアに関し、特に、上面に孔を持たず又は孔が少ないパネル床板の上に、通気孔を持たない無孔カーペットを敷き詰めたフリーアクセスフロアに関する。
【０００２】
【従来の技術】
一般にフリーアクセスフロアは、床板の上にカーペットを敷いて構成されている。図９はカーペットを除去した状態を示し、平面形状正方形の床板１が床スラブ上に縦横に敷き詰められており、各床板１はそのコーナー部において支持脚３によって支持されている。図１０はカーペット４を敷き詰めた状態を示し、各カーペット４の平面形状は床板１の平面形状と実質的に同じ正方形をなしている。
ここで、各床板１の上面によって形成される全体の平面は、完全にフラットな１つの平面ということはあり得ない。すなわち隣接する床板１，１どうしの境界（目地）や各床板１のコーナー部が集合する部分では、当然に微小な隙間や段差があり、したがって不連続な平面となっている。したがって、もしも各カーペット４をそれぞれ各床板１の直上に配置すると、各カーペット４は滑らかに隣接しにくくなる。それ故、各カーペット４は、縦方向にも横方向にも床板１の配列ピッチとはずらして配列されており、すなわち一般には、縦方向にも横方向にも半ピッチ分だけずらして床板１上に敷き詰められている。
【０００３】
【発明が解決しようとする課題】
室内を取り囲む前後左右の壁面と天井と床の温度は一般に異なっており、また室内には電気機器などの熱源があるから、室内の空気の温度は場所によって不均一となっている。例えば日中に日が差し込むと、窓際は室内の中央部よりも高温となるから、窓際では上昇流を生じ中央部では下降流を生じる。したがって床板と床スラブとの間の床下空間の空気は、中央部から窓際に流れた後に、窓際の床下空間より床上の室内に向けて流出する。
すなわち室内の空気を強制的に移動させていないときでも、空気に温度差がある限り自然対流を生じるから、床下空間の空気はいずれかの場所から床上の室内に向けて流出する。
また床下空調システムを用いて強制的に空気流を生じさせるときには、通常、床下空間側を与圧するから、床下空間の空気はすべての場所から床上の室内に向けて流出する。
【０００４】
他方、フリーアクセスフロア用の床板としては、上面に孔を持たず、又は孔が少ないパネル型の床板と、上面に孔を有するグリル型の床板がある。また通常用いられるカーペットは、通気孔を持たない無孔カーペットである。そこで、パネル床板と無孔カーペットを用いてフリーアクセスフロアを構成すると、次のような問題点を生じる。
すなわち図９より明らかなように、パネル床板１を通過しようとする空気は、隣接するパネル床板１，１どうしの線状の目地しか通過することができない。同様に、無孔カーペット４を通過しようとする空気は、隣接する無孔カーペット４，４どうしの線状の目地しか通過することができない。この結果、床下空間から床上空間に流出しようとする空気は、パネル床板１，１の目地と無孔カーペット４，４の目地とが交わる点状の交点６しか通過できず、したがってこの交点６から集中的に噴き出すこととなる。他方、床下空間は一般に余り清浄とはいえないから、図１０に示すように、パネル床板１，１の目地と無孔カーペット４，４の目地との交点６が集中的に薄汚れることとなる。
そこで本発明は、床下空間から吹き上げる空気流によるカーペットの汚れを防止したフリーアクセスフロアを提供することを課題とする。
【０００５】
【課題を解決するための手段】
本発明は上記課題を解決するためになされたものであり、すなわち、平面形状正方形の複数枚の床板を、支持脚によって床スラブから離隔して床スラブ上に縦横に敷き詰め、床板と実質的に同一の大きさの平面形状を有する複数枚のカーペットを、縦方向にも横方向にも床板の配列ピッチとはずらして床板上に敷き詰めたフリーアクセスフロアにおいて、フリーアクセスフロアのいずれかの領域について、１枚又は少数枚の床板として上面に孔を有するグリル床板を用い、グリル床板の上だけはカーペットを敷かないで、グリル床板の上面を開放すると共に、グリル床板の周囲の他の床板上のカーペットの少なくとも一部を略Ｌ字型に形成したことを特徴とするフリーアクセスフロアである。本発明はまた、平面形状正方形の複数枚の床板を、支持脚によって床スラブから離隔して床スラブ上に縦横に敷き詰め、床板と実質的に同一の大きさの平面形状を有する複数枚のカーペットを、縦方向にも横方向にも床板の配列ピッチとはずらして床板上に敷き詰めたフリーアクセスフロアにおいて、フリーアクセスフロアのいずれかの領域について、１枚又は少数枚のカーペットを敷かないで床板の上面を開放し、上面を開放された床板として、上面に孔を有しカーペットを敷かない領域と略同じ大きさのグリル床板を、カーペットを敷かない領域に対して互いの輪郭を縦方向にも横方向にも著しくずらすことなく配置すると共に、グリル床板の周囲の他の床板の少なくとも一部を略Ｌ字型に形成したことを特徴とするフリーアクセスフロアである。
【０００６】
【発明の実施の形態】
本発明の実施の形態を説明する。図１と図２は本発明によるフリーアクセスフロアの第１実施例を示し、このフリーアクセスフロアは、全体として、複数枚のパネル床板１の上に複数枚の無孔カーペット４を敷きつめて構成されている。先ず図１は無孔カーペット４を除去した状態を示し、平面形状正方形のパネル床板１が床スラブ上に縦横に敷き詰められており、各パネル床板１はそのコーナー部において支持脚３によって支持されており、こうして床スラブとの間に床下空間を形成している。図２は無孔カーペット４を敷き詰めた状態を示し、各無孔カーペット４の平面形状は、パネル床板１の平面形状と実質的に同じ正方形をなしている。また各無孔カーペット４は、縦方向にも横方向にもパネル床板１の配列ピッチとは半ピッチだけずらして、パネル床板１上に敷き詰められている。
【０００７】
こうして室内の床がフリーアクセスフロアによって構成されているが、本実施例では、フリーアクセスフロアのいずれかの領域、例えば室内の四隅の領域において、それぞれ次のような構成が部分的に取られている。すなわち図１に示すように、パネル床板１のうちの１枚が、上面に孔を有するグリル床板２によって置き換えられており、このグリル床板２の上面に当接すべき４枚の無孔カーペット４ａのその当接する部分は、図２に示すように部分的に切り欠かれている。したがってグリル床板２を取り囲む４枚の無孔カーペット４ａはＬ字状をなしており、その中に、孔を有する１枚のパンチングカーペット５が敷かれている。
【０００８】
本実施例は以上のように構成されており、床下空間と床上空間との間に気圧差が生じて、床下空間から床上空間に向けて空気が流出しようとすると、１枚のグリル床板２の上に１枚のパンチングカーペット５が敷かれた部分があるから、空気流は専らこの部分のみを通過する。したがってパネル床板１，１の目地と無孔カーペット４，４の目地との交点が集中的に薄汚れる事態が解消される。また空気流はグリル床板２の上にパンチングカーペット５が敷かれた部分を通過するから、十分に流速が遅くなり、したがってパンチングカーペット５の汚れは僅かとなる。更に汚れるカーペットは専らパンチングカーペット５だけとなるから、その交換費用は安価となる。
なお本実施例ではグリル床板２の上にパンチングカーペット５を敷いているが、パンチングカーペット５を敷かずにグリル床板２の上面を開放した構成とすることもできる。
【０００９】
次に図３と図４は第２実施例を示す。上記第１実施例では、１枚のパネル床板１をグリル床板２に置き換え、その上に１枚のパンチングカーペット５を敷いているが、この第２実施例では、２枚のパネル床板１をグリル床板２に置き換え、その上に２枚のパンチングカーペット５を敷いたものである。このような構成とするときには、図４に示されているように、部分的に切り欠く無孔カーペット４ａ，４ｂの形状と枚数は、Ｌ字状の無孔カーペット４ａが４枚と、長方形状の無孔カーペット４ｂが２枚となる。
【００１０】
次に図５と図６は第３実施例を示す。上記第１、第２実施例では、パネル床板１の配列を維持したまま、そのうちの１枚又少数枚をグリル床板２に置き換えたが、この第３実施例では、無孔カーペット４の配列を維持したまま、そのうちの１枚をパンチングカーペット５に置き換えたものである。このような構成のときには、置き換えられたパンチングカーペット５の下面に当接する４枚のパネル床板１ａのその当接する部分を切り欠くこととなる。したがってパンチングカーペット５を取り囲む４枚のパネル床板１ａはＬ字状をなし、その中に、グリル床板２が設置される。このような構成によっても、上記第１、第２実施例と同様の効果を得ることができる。また、グリル床板２の上にパンチングカーペット５を敷かずに、グリル床板２の上面を開放した構成としても良い。
【００１１】
次に図７と図８は第４実施例を示す。上記第３実施例では、１枚の無孔カーペット４をパンチングカーペット５に置き換え、その下に１枚のグリル床板２を設置したが、この第４実施例では、２枚の無孔カーペット４をパンチングカーペット５に置き換え、その下に２枚のグリル床板２を設置したものである。このような構成とするときには、図７に示されているように、部分的に切り欠くパネル床板１ａ，１ｂの形状と枚数は、Ｌ字状のパネル床板１ａが４枚と、長方形状のパネル床板１ｂが２枚となる。
【００１２】
【発明の効果】
以上のように本発明によれば、全体としてはパネル床板の上に無孔カーペットを敷き詰めているが、一部分の領域について、グリル床板とパンチングカーペットとの組み合わせを島状に配置しているから、床下空間から床上の室内へ流出する空気流の流路を十分に確保することができる。したがってパネル床板の目地と無孔カーペットの目地との交点が集中的に薄汚れる事態が解消される。
また空気流はグリル床板とパンチングカーペットが敷かれた部分を遅い流速で通過するから、パンチングカーペットの汚れは僅かとなり、たとえ汚れたとしても、パンチングカーペットだけの交換で済むから、交換費用は安価となる。
【図面の簡単な説明】
【図１】本発明の第１実施例の床板の配列を示す平面図
【図２】同じくカーペットの配列を示す平面図
【図３】第２実施例の床板の配列を示す平面図
【図４】同じくカーペットの配列を示す平面図
【図５】第３実施例の床板の配列を示す平面図
【図６】同じくカーペットの配列を示す平面図
【図７】第４実施例の床板の配列を示す平面図
【図８】同じくカーペットの配列を示す平面図
【図９】従来例の床板の配列を示す平面図
【図１０】同じくカーペットの配列を示す平面図
【符号の説明】
１、１ａ、１ｂ…パネル床板      ２…グリル床板
３…支持脚                      ４、４ａ、４ｂ…無孔カーペット
５…パンチングカーペット
【図１】
0003949243.tif 000002
【図２】
0003949243.tif 000003
【図３】
0003949243.tif 000004
【図４】
0003949243.tif 000005
【図５】
0003949243.tif 000006
【図６】
0003949243.tif 000007
【図７】
0003949243.tif 000008
【図８】
0003949243.tif 000009
【図９】
0003949243.tif 000010
【図１０】
0003949243.tif 000011